(57)【要約】【課題】相異なる形態の情報を容易かつ確実に取得させること。【解決手段】トリップ期間認識部６４は、トリップ期間を、おでかけ期間認識部６５、位置情報等蓄積部６６及び情報取得部６７へ送信する。おでかけ期間認識部６５は、おでかけ期間を、位置情報等蓄積部６６及び情報取得部６７へ送信する。位置情報等蓄積部６６は、位置情報等データを、情報取得部６７へ送信する。情報取得部６７は、受信したデータに基づき、燃費詳細情報ＦＡ、くるま利用実態ＦＢ及び診断情報ＦＣを作成する。【選択図】図６
2017162280.tif 000002
【特許請求の範囲】
【請求項１】
所定の時間間隔でユーザの位置情報を取得する位置取得手段と、
所定の発信源から発信され、当該発信源を特定可能な信号を受信する制御を実行する受信制御手段と、
を備える情報処理装置と、当該情報処理装置と通信をするサーバとを含む情報処理システムにおいて、前記情報処理装置又は前記サーバは、
乗用車に配置された前記発信源から発信された前記信号の受信開始を条件のひとつとして、前記ユーザが前記乗用車に乗車したことを認識し、前記信号の受信終了を条件のひとつとして、前記ユーザが前記乗用車から降車したことを認識し、その認識結果に基づいて第一の期間を認識する第一期間認識手段と、
前記ユーザの位置情報が特定の場所を示す情報である場合に前記ユーザが前記乗用車に乗車したことが認識されてから、前記ユーザの位置情報が当該特定の場所を示す情報である場合に前記ユーザが前記乗用車から降車したことが認識されるまでの期間を、第二の期間として認識する第二期間認識手段と、
前記第一の期間における、前記位置情報の時系列を含む第一の情報と、前記第二の期間における、前記位置情報の時系列を含む第二の情報と、を夫々区別して取得する情報取得手段と、
を備える情報処理システム。
【請求項２】
所定の時間間隔でユーザの位置情報を取得する位置取得手段と、
所定の発信源から発信され、当該発信源を特定可能な信号を受信する制御を実行する受信制御手段と、
を備える情報処理装置と、当該情報処理装置と通信をするサーバとを含む情報処理システムにおいて、前記情報処理装置又は前記サーバが実行する情報処理方法であって、
乗用車に配置された前記発信源から発信された前記信号の受信開始を条件のひとつとして、前記ユーザが前記乗用車に乗車したことを認識し、前記信号の受信終了を条件のひとつとして、前記ユーザが前記乗用車から降車したことを認識し、その認識結果に基づいて第一の期間を認識する第一期間認識ステップと、
前記ユーザの位置情報が特定の場所を示す情報である場合に前記ユーザが前記乗用車に乗車したことが認識されてから、前記ユーザの位置情報が当該特定の場所を示す情報である場合に前記ユーザが前記乗用車から降車したことが認識されるまでの期間を、第二の期間として認識する第二期間認識ステップと、
前記第一の期間における、前記位置情報の時系列を含む第一の情報と、前記第二の期間における、前記位置情報の時系列を含む第二の情報と、を夫々区別して取得する情報取得ステップと、
を含む情報処理方法。
【請求項３】
所定の時間間隔でユーザの位置情報を取得する位置取得手段と、
所定の発信源から発信され、当該発信源を特定可能な信号を受信する制御を実行する受信制御手段と、
を備える情報処理装置と、当該情報処理装置と通信をするサーバとを含む情報処理システムにおいて、前記情報処理装置又は前記サーバを制御するコンピュータに、
乗用車に配置された前記発信源から発信された前記信号の受信開始を条件のひとつとして、前記ユーザが前記乗用車に乗車したことを認識し、前記信号の受信終了を条件のひとつとして、前記ユーザが前記乗用車から降車したことを認識し、その認識結果に基づいて第一の期間を認識する第一期間認識ステップと、
前記ユーザの位置情報が特定の場所を示す情報である場合に前記ユーザが前記乗用車に乗車したことが認識されてから、前記ユーザの位置情報が当該特定の場所を示す情報である場合に前記ユーザが前記乗用車から降車したことが認識されるまでの期間を、第二の期間として認識する第二期間認識ステップと、
前記第一の期間における、前記位置情報の時系列を含む第一の情報と、前記第二の期間における、前記位置情報の時系列を含む第二の情報と、を夫々区別して取得する情報取得ステップと、
を含む制御処理を実行させるプログラム。
【発明の詳細な説明】
【技術分野】
【０００１】
本発明は、情報処理システム、情報処理方法、及びプログラムに関する。
【背景技術】
【０００２】
従来から、人や乗用車について、その通行や走行の移動経路や時間の通行履歴を検出し、管理することが行われている。当該通行履歴は有用な情報であるため、当該情報を適切に収集し、管理することが重要である。（例えば、特許文献１参照）。
【先行技術文献】
【特許文献】
【０００３】
【特許文献１】特開２００３−３４６７４号公報
【発明の概要】
【発明が解決しようとする課題】
【０００４】
しかしながら、需要者は、通行履歴のみだけでなく、通行履歴以外の異なる形態の情報を要求しており、通行履歴だけは不十分である。
【０００５】
本発明は、このような状況に鑑みてなされたものであり、相異なる形態の情報を容易かつ確実に取得することを目的とする。
【課題を解決するための手段】
【０００６】
上記目的を達成するため、本発明の一態様の情報処理システムは、
所定の時間間隔でユーザの位置情報を取得する位置取得手段と、
所定の発信源から発信され、当該発信源を特定可能な信号を受信する制御を実行する受信制御手段と、
を備える情報処理装置と、当該情報処理装置と通信をするサーバとを含む情報処理システムにおいて、前記情報処理装置又は前記サーバは、
乗用車に配置された前記発信源から発信された前記信号の受信開始を条件のひとつとして、前記ユーザが前記乗用車に乗車したことを認識し、前記信号の受信終了を条件のひとつとして、前記ユーザが前記乗用車から降車したことを認識し、その認識結果に基づいて第一の期間を認識する第一期間認識手段と、
前記ユーザの位置情報が特定の場所を示す情報である場合に前記ユーザが前記乗用車に乗車したことが認識されてから、前記ユーザの位置情報が当該特定の場所を示す情報である場合に前記ユーザが前記乗用車から降車したことが認識されるまでの期間を、第二の期間として認識する第二期間認識手段と、
前記第一の期間における、前記位置情報の時系列を含む第一の情報と、前記第二の期間における、前記位置情報の時系列を含む第二の情報と、を夫々区別して取得する情報取得手段と、
を備えることを特徴とする。
【０００７】
本発明の一態様の情報処理方法及びプログラムは、上述の本発明の一態様の情報処理システムに対応する方法及びプログラムである。
【発明の効果】
【０００８】
本発明によれば、相異なる形態の情報を容易かつ確実に取得することができる。
【図面の簡単な説明】
【０００９】
【図１】本発明の一実施形態に係る情報処理システムにより実行されるデータ処理の概要を示す図である。
【図２】本発明の一実施形態に係るデータ取得処理のうち、期間認識処理までの概要を示す図である。
【図３】図１の情報処理システムのうち、サーバのハードウェア構成を示すブロック図である。
【図４】図１の情報処理システムのうち、ユーザ端末のハードウェア構成を示すブロック図である。
【図５】図３のサーバの機能的構成のうち、データ取得処理を実行するための機能的構成を示す機能ブロック図である。
【図６】図５の機能的構成を有する図４のサーバ及び図５のユーザ端末が実行するデータ取得処理の流れを説明するフローチャートである。
【図７】図３のサーバが作成する情報の一例を示す図である。
【発明を実施するための形態】
【００１０】
以下、図面を参照しながら、本発明の実施形態について説明する。
【００１１】
［情報処理システムの概要］
図１は、発明の一実施形態に係る情報処理システムにより実行されるデータ処理の概要を示す図である。
図１に示す情報処理システムは、サーバ１と、ユーザ端末２とが、ネットワークＮを介して相互に接続されることによって構成されている。
また、信号を発信するビーコン３は、特定の乗用車Ｃ（以下、特定車Ｃという。）に設置されている。
【００１２】
ビーコン３は、ＩＤを含む所定の情報を、所定の範囲内に届くように一方向に発信することのできるものをいう。
ユーザ端末２は、当該所定の情報を受信し、所定の情報からビーコン３を一意に特定する。また、ユーザ端末２は、ビーコン３が設置されている特定車Ｃを一意に特定する。
よって、ビーコン３は、特定車Ｃを認識するのに好適である。
【００１３】
また、特定車Ｃとは、サーバ１で一意に特定可能な乗用車をいう。この例では、特定車Ｃとして、バスやタクシーではなく、ユーザＵが保有している自家用車を採用する。
【００１４】
本情報処理システムは、サーバ管理者が、２つの異なる期間を設けることにより、様々な情報を取得することができるため、相異なる形態の情報を容易かつ確実に取得する際に適用させる。
本サービスの提供者は、サーバ１を管理しているものとする。ここでいう管理は、提供者自身が直接的に管理していることの他、サーバの運営会社等別の者に管理を委託する等間接的に管理していることも含むものとする。
【００１５】
図２は、本発明の一実施形態に係るデータ取得処理のうち、期間認識処理までの概要を示す図である。
ここで、期間認識処理とは、サーバ１がトリップ期間及びおでかけ期間を認識する処理をいう。
ユーザ端末２を有するユーザＵが、特定車Ｃに設置されたビーコンから一定の範囲を超えた場所に位置する場合には、ユーザ端末２はビーコン３からの信号を受信することができない。その結果、サーバ１はユーザ端末２からの信号の受信「有」データを受信することができないため、ユーザＵが特定車Ｃへ乗車していないと認識する。
なお、詳細は後述するが、受信「有」データとは、ビーコン３からの信号の受信「有」を認識した場合に、ユーザ端末２が作成するデータである。
ユーザ端末２を有するユーザＵが、特定車Ｃに設置されたビーコンから一定の範囲を内に移動した場合には、ユーザ端末２はビーコン３からの信号の受信を開始する。その後、サーバ１はユーザ端末２からの信号の受信「有」データの受信の開始を条件として、ユーザＵの特定車Ｃへの乗車と認識する。（以下、乗車認識という。）
ユーザ端末２を有するユーザＵが、特定車Ｃから一定の範囲を超えた場所に移動した場合には、ユーザ端末２はビーコン３からの信号の受信を終了する。その後、サーバ１は、ユーザ端末２からの信号の受信「有」データの受信の終了を条件として、ユーザＵの特定車Ｃからの降車と認識する。（以下、降車認識という。）
ユーザＵの乗車認識からユーザＵの降車認識までの期間をトリップ期間という。
また、ユーザＵ（ユーザ端末２）の位置情報が特定の位置であり、かつ、ユーザＵの乗車認識されたタイミングを開始点として、その後、ユーザＵ（ユーザ端末２）の位置情報が特定の位置であり、かつ、ユーザＵの降車認識がされたタイミングを終了点として、当該開始点から終了点までの期間をおでかけ期間という。
【００１６】
例えば、特定の場所を自宅とする。また、自宅を出発し、ドライブの途中でガソリンスタンドに立ち寄り、自宅に戻ってきたとする。
自宅において、ユーザＵの乗車認識がされると、トリップ期間が開始する。また、ユーザＵの乗車認識の場所が自宅であるため、おでかけ期間が開始する。
ガソリンスタンドにおいて、ユーザＵの降車認識がされると、トリップ期間が終了する。一方、ガソリンスタンドは特定の場所ではないため、おでかけ期間は終了しない。
ガソリンスタンドにおいて、再度、ユーザＵの乗車認識がされると、トリップ期間が開始する。
自宅において、ユーザＵの降車認識がされると、トリップ期間が終了する。また、ユーザＵの降車認識の場所が自宅であるため、おでかけ期間が終了する。
上述の例のように、ユーザＵが自宅以外の場所で途中降車した場合には、降車認識時点でトリップ期間は終了するが、当該降車認識時点でおでかけ期間は終了せず、自宅での降車認識でおでかけ期間終了する。
一方、自宅を出発してから自宅に到着するまで１度も降車認識されていない場合には、トリップ期間とおでかけ期間は同一の期間となる。
【００１７】
例えば、特定の場所を自宅として設定し、勤務している会社までの往復の移動で特定車Ｃを利用した場合には、おでかけ期間は自宅を出発してから自宅に到着するまでの期間となる。おでかけ期間を設定することで、通勤時間、通勤距離、通勤ルートを含む情報を取得できる。当該情報を蓄積することで、過去の情報と現在の情報の比較、他人との比較を容易に実施できる。
また、一方でトリップ期間を設けることで、実際の乗降期間の情報を取得できるため、便利である。
【００１８】
上述の例において、サーバ１は信号の受信の開始を条件としてユーザＵの乗車認識している。しかし、信号の受信開始後、ユーザＵの実際の乗車までにタイムラグがあるために、サーバ１は、信号の受信の開始から５秒経過を条件としてユーザＵの乗車と認識してもよい。ユーザＵの降車についても、乗車同様に別の条件を設定できる。
【００１９】
図３は、図１の情報処理システムのうち、本発明の情報処理システムの一実施形態としてのサーバ１のハードウェア構成を示すブロック図である。
【００２０】
サーバ１は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、バス２４と、入出力インターフェース２５と、入力部２６と、出力部２７と、記憶部２８と、通信部２９と、ドライブ３０と、を備えている。
【００２１】
ＣＰＵ２１は、ＲＯＭ２２に記録されているプログラム、又は、記憶部２８からＲＡＭ２３にロードされたプログラムに従って各種の処理を実行する。
【００２２】
ＲＡＭ２３には、ＣＰＵ２１が各種の処理を実行する上において必要なデータ等も適宜記憶される。
【００２３】
ＣＰＵ２１、ＲＯＭ２２及びＲＡＭ２３は、バス２４を介して相互に接続されている。このバス２４にはまた、入出力インターフェース２５も接続されている。入出力インターフェース２５には、入力部２６、出力部２７、記憶部２８、通信部２９及びドライブ３０が接続されている。
【００２４】
入力部２６は、キーボードや各種釦等で構成され、オペレータの指示操作に応じて各種情報を入力する。
出力部２７は、ディスプレイやスピーカ等で構成され、画像や音声を出力する。
記憶部２８は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部２９は、インターネットを含むネットワークＮを介して他の装置（図３の例ではユーザ端末２）との間で行う通信を制御する。
【００２５】
ドライブ３０には、磁気ディスク、光ディスク、光磁気ディスク、或いは半導体メモリ等よりなる、リムーバブルメディア３１が適宜装着される。ドライブ３０によってリムーバブルメディア３１から読み出されたプログラムは、必要に応じて記憶部２８にインストールされる。また、リムーバブルメディア３１は、記憶部２８に記憶されている各種データも、記憶部２８と同様に記憶することができる。
【００２６】
図４は、図１の情報処理システムのうち、本発明の情報処理システムの一実施形態としてのユーザ端末２のハードウェア構成を示すブロック図である。
【００２７】
ユーザ端末２は、ＣＰＵ４１〜リムーバブルメディア５１を備えている。
ユーザ端末２におけるＣＰＵ４１〜リムーバブルメディア５１の夫々は、サーバ１におけるＣＰＵ２１〜リムーバブルメディア３１の夫々と基本的に同様の構成と機能を有している。
従って、ユーザ端末２におけるＣＰＵ４１〜リムーバブルメディア５１の説明については省略する。
【００２８】
ただし、ユーザ端末２は、図４の例ではスマートフォン等で構成され、タッチパネルを有している。
タッチパネルは、入力部４６及び表示部４７で構成される。
入力部４６は、例えば表示部４７の表示領域に積層される静電容量式又は抵抗膜式の位置入力センサにより構成され、タッチ操作がなされた位置の座標を検出する。ここで、タッチ操作とは、入力部４６に対する物体（ユーザの指やタッチペン等）の接触又は近接の操作をいう。
表示部４７は、ディスプレイにより構成され、各種画像を表示する。
即ち、本実施形態では、入力部４６と表示部４７とにより、タッチパネルが構成されている。
【００２９】
図５は、ユーザ端末２の機能的構成のうち、データ取得処理を実行するための機能的構成を示す機能ブロック図である。
ここで、データ取得処理とは、後述する情報取得部６７が、後述する燃費詳細情報ＦＡ、くるま利用実態及び診断情報等のデータを作成する処理をいう。
なお、燃費詳細情報ＦＡ、くるま利用実態ＦＢ及び診断情報ＦＣは後述する。
【００３０】
ユーザ端末２のＣＰＵ２１においては、データ取得処理の実行が制御される場合、受信制御部６１と、送信制御部６２と、位置情報取得部６３とが機能する。
また、サーバ１のＣＰＵ２１においては、データ取得処理の実行が制御される場合、トリップ期間認識部６４と、おでかけ期間認識部６５と、位置情報等蓄積部６６と、情報取得部６７とが機能する。
【００３１】
受信制御部６１は、ビーコン３から発信された信号（当該ビーコン３であることを特定可能な信号）を、通信部４９が受信することを制御し、ビーコン３からの信号の受信「有」又は受信「無」を認識する。
受信制御部６１は、当該信号の受信「有」を認識した場合には、受信「有」データを作成する。受信制御部６１は、当該信号の受信「無」を認識した場合には、受信「無」データを作成する。
また、受信制御部６１は、受信「有」又は受信「無」データを送信制御部６２へ送信する。
送信制御部６２は、受信「有」又は受信「無」データを通信部４９が送信することを制御する。
【００３２】
位置情報取得部６３は、ＧＰＳ（Ｇｌｏｂａｌ  Ｐｏｓｉｔｉｏｎｉｎｇ  Ｓｙｓｔｅｍ）等に基づいて、位置情報データを取得し、送信制御部６２へ送信する。
送信制御部６２は、位置情報データを通信部４９から送信することを制御する。
【００３３】
トリップ期間認識部６４は、ユーザ端末２からの受信「有」又は受信「無」データを受信する。
【００３４】
トリップ期間認識部６４は、受信「有」データの受信開始を条件として、ユーザＵの特定車Ｃへの乗車を認識する。トリップ期間認識部６４は、ユーザＵの特定車Ｃへの乗車と認識すると、トリップ期間の開始を認識する。
また、トリップ期間認識部６４は、受信「無」データ受信開始、即ち受信「有」データ受信終了を条件として、ユーザＵの特定車Ｃへの降車と認識する。トリップ期間認識部６４は、ユーザＵの特定車Ｃへの降車と認識すると、トリップ期間の終了を認識する。
トリップ期間認識部６４は、当該トリップ期間をおでかけ期間認識部６５、位置情報等蓄積部６６及び情報取得部６７へ送信する。
【００３５】
おでかけ期間認識部６５は、ユーザ端末２からの受信「有」又は受信「無」データ及び位置情報データを受信する。
また、おでかけ期間認識部６５は、予めユーザＵにより設定された特定の場所と受信した位置情報データが有するユーザＵの位置が一致するか否かを認識する。
上述の例では、特定の場所をユーザＵが予め定めることとしているが、その他の方法により特定の場所を設定してもよい。
【００３６】
おでかけ期間認識部６５は、ユーザＵの位置が特定の場所を示しており、かつ、当該受信「有」データの受信開始を条件として、おでかけ期間の開始を認識する。
また、おでかけ期間認識部６５は、ユーザＵの現在地が特定の場所を示しており、かつ、当該受信「無」データ受信開始、即ち当該受信「有」データ受信終了を条件として、おでかけ期間の終了を認識する。
おでかけ期間認識部６５は、当該おでかけ期間を位置情報等蓄積部６６及び情報取得部６７へ送信する。
【００３７】
位置情報等蓄積部６６は、トリップ期間、おでかけ期間及び位置情報等データを受信し、記憶部２８に蓄積させる。
位置情報等データは、位置情報データだけでなく、他の情報も含まれるものとする。
また、図示はしないが、例えば、位置情報等蓄積部６６が蓄積させるデータは、各ユーザＵ毎に、時系列でトリップ期間、おでかけ期間、位置情報等が認識できるようなデータである。当該データについての形態や位置情報等蓄積部６６内の格納手法等は上述の例に特に限定されない。
なお、位置情報等は緯度経度により特定されてもよいし、特定の地図上のデータであってもよい。
位置情報等蓄積部６６は、位置情報等データを情報取得部６７へ送信する。
【００３８】
情報取得部６７は、燃費詳細情報取得部７１と、くるま利用実態取得部７２と、診断情報取得部７３とから構成される。
情報取得部６７は、燃費詳細情報ＦＡ、くるま利用実態ＦＢ及び診断情報ＦＣを作成する。
【００３９】
なお、具体的には、燃費詳細情報取得部７１は、燃費詳細情報ＦＡを作成する
また、くるま利用実態取得部７２は、くるま利用実態ＦＢを作成する。
さらに、診断情報取得部７３は、診断情報ＦＣを作成する。
燃費詳細情報ＦＡ、くるま利用実態ＦＢ及び診断情報ＦＣについては、後述する。
【００４０】
また、情報取得部６７は、一定の条件に基づき、過去に蓄積した燃費詳細情報ＦＡ、くるま利用実態ＦＢ及び診断情報ＦＣを選択し、取得する。
上述の一定の条件とは、例えば、ユーザＵの過去の情報が存在する場合でもよいし、同一経路を通った他のユーザＵが存在する場合でもよい。
【００４１】
上述のように、一定の条件で選択された他の燃費詳細情報ＦＡ、くるま利用実態ＦＢ及び診断情報ＦＣを取得することで、過去のユーザＵ１の情報と現在のユーザＵ１の情報を比較すること及びユーザＵ２の情報と現在のユーザ１の情報を比較できる。
上述の比較は、最短経路の探索や燃費の向上に好適である。
ここで、図７を用いてサーバが作成する情報を説明する。
【００４２】
図７に示す燃費詳細情報ＦＡは、情報取得部６７のうち燃費詳細情報取得部７１が作成する情報の一例である。
例えば、燃費詳細情報ＦＡには、トリップ回数、トリップごとの距離、トリップごとの平均速度、トリップごとの出発時間帯及びトリップごとの高低差が含まれる。
例えば、トリップごとの距離は、トリップ期間の開始時点の緯度経度とトリップ期間の終了時点の緯度経度に基づいて計算される。また、例えば、トリップごとの平均速度は、トリップ期間の開始時点の時間とトリップ期間の終了時点の時間に基づいて計算される。
また、例えば、トリップごとの高度差は、位置情報等に高度を測定できる情報を加えることで、トリップ期間の位置情報の軌跡に基づいて計算される。
【００４３】
また、図７に示すくるま利用実態ＦＢは、情報取得部６７のうちくるま利用実態取得部７２が作成する情報の一例である。
例えば、くるま利用実態ＦＢには、おでかけ回数、目的地（特定の場所）までの距離、目的地（特定の場所）の数及び通勤通学利用か否かの情報が含まれる。
上述の例においては、特定の場所を自宅の１ヵ所のみを設定していたが、複数ヵ所を特定の場所として設定してもよい。
また、通勤利用である場合には、くるま利用実態ＦＢには、通勤距離、通勤時間帯及び通勤所要時間が含まれる。
なお、通勤利用であり、通勤距離、通勤時間帯及び通勤所要時間を算出する場合には、特定の場所を自宅と会社の２ヵ所に設定するものとする。
特定の場所を自宅と会社に設定した場合には、自宅を出発してから会社に到着するまでの往路の期間と会社を出発してから自宅に到着するまでの復路の期間が夫々おでかけ期間となる。
例えば、通勤距離は、往路と復路が夫々別に、おでかけ期間の開始時点の緯度経度とおでかけ期間の終了時点の緯度経度に基づいて計算される。即ち、通勤距離が、往路の距離と復路の距離が夫々別々に計算される。
【００４４】
さらに、図７に示す診断情報ＦＣは、情報取得部６７のうち診断情報取得部７３が作成する情報の一例である。
診断情報取得部７３は、トリップ期間及びおでかけ期間等のデータに基づいて、診断情報ＦＣを作成する。
例えば、診断情報ＦＣには、信号発信回数、時速８０キロメートル以上で走行した回数、渋滞に巻き込まれていた時間、右左折の回数及び急発進・急停止の回数が含まれる。
例えば、渋滞に巻き込まれていた時間は、位置情報の軌跡と夫々の経過時間より、一定の速度以下である期間を合計として計算される。
【００４５】
図５に戻り、図５におけるサーバ１は、ユーザ端末２としてもよい。
【００４６】
図６を参照して、図５の機能的構成を有するサーバ１及びユーザ端末２が実行するデータ取得処理について説明する。
図６は、図５の機能的構成を有するサーバ１及びユーザ端末２が実行するデータ取得処理の流れを説明するフローチャートである。
【００４７】
以下、データ取得処理について説明する。
【００４８】
ステップＳ１において、サーバ１におけるトリップ期間認識部６４は、特定車Ｃに乗車したと認識することによって、ＹＥＳであると判定する。その結果、処理はステップＳ２に進む。
一方、サーバ１におけるトリップ期間認識部６４は、特定車Ｃに乗車していないと認識することによって、ＮＯであると判定する。その結果、ステップＳ１の処理が繰り返される。
【００４９】
ステップＳ２において、サーバ１におけるトリップ期間認識部６４は、トリップ期間の開始を認識する。
【００５０】
ステップＳ３において、サーバ１におけるおでかけ期間認識部６５は、ユーザ端末２から受信したユーザＵの位置と特定の場所が一致していると認識することによって、ＹＥＳであると判定する。その結果、処理はステップＳ４に進む。
一方、サーバ１におけるおでかけ期間認識部６５は、ユーザ端末２から受信したユーザＵの位置と特定の場所が一致していないと認識することによって、ＹＥＳであると判定する。その結果、処理はステップＳ５に進む。
【００５１】
ステップＳ４において、サーバ１におけるおでかけ期間認識部６５は、おでかけ期間の開始を認識し、処理はステップＳ５に進む。
【００５２】
ステップＳ５において、ユーザ端末２における位置情報取得部６３は、位置情報等を取得する。
【００５３】
ステップＳ６において、サーバ１におけるトリップ期間認識部６４は、特定車Ｃから降車したと認識することによって、ＹＥＳであると判定する。その後、処理はステップＳ７に進む。
一方、サーバ１におけるトリップ期間認識部６４は、特定車Ｃに降車していないと認識することによって、ＮＯであると判定する。その後、ステップＳ５の処理が繰り返される。
【００５４】
ステップＳ７において、サーバ１におけるトリップ期間認識部６４は、トリップ期間の終了を認識し、処理はステップＳ８に進む。
【００５５】
ステップＳ８において、サーバ１におけるおでかけ期間認識部６５は、ユーザ端末２から受信したユーザＵの位置と特定の場所と一致していると認識することによって、ＹＥＳであると判定されて、処理はステップＳ９に進む。
一方、サーバ１におけるおでかけ期間認識部６５は、ユーザ端末２から受信したユーザＵの位置と特定の場所と一致していないと認識することによって、ＹＥＳであると判定されて、ステップＳ１の処理が繰り返される。
【００５６】
ステップＳ９において、サーバ１におけるおでかけ期間認識部６５は、おでかけ期間の終了を認識し、処理はステップＳ１０に進む。
【００５７】
ステップＳ１０において、サーバ１における情報取得部６７は、各種情報（位置情報等）を取得し、処理は終了する。
【００５８】
なお、本発明は、上述の実施形態に限定されるものではなく、本発明の目的を達成できる範囲での変形、改良等は本発明に含まれるものである。
【００５９】
即ち本発明の一態様の情報処理システムは、
所定の時間間隔でユーザの位置情報を取得する位置取得手段と、
所定の発信源から発信され、当該発信源を特定可能な信号を受信する制御を実行する受信制御手段と、
を備える情報処理装置と、当該情報処理装置と通信をするサーバとを含む情報処理システムにおいて、前記情報処理装置又は前記サーバは、
乗用車に配置された前記発信源から発信された前記信号の受信開始を条件のひとつとして、前記ユーザが前記乗用車に乗車したことを認識し、前記信号の受信終了を条件のひとつとして、前記ユーザが前記乗用車から降車したことを認識し、その認識結果に基づいて第一の期間を認識する第一期間認識手段と、
前記ユーザの位置情報が特定の場所を示す情報である場合に前記ユーザが前記乗用車に乗車したことが認識されてから、前記ユーザの位置情報が当該特定の場所を示す情報である場合に前記ユーザが前記乗用車から降車したことが認識されるまでの期間を、第二の期間として認識する第二期間認識手段と、
前記第一の期間における、前記位置情報の時系列を含む第一の情報と、前記第二の期間における、前記位置情報の時系列を含む第二の情報と、を夫々区別して取得する情報取得手段と、
を備えれば足りる。
これにより、相異なる形態の情報を容易かつ確実に取得することができる。
【００６０】
即ち、異なる２つの期間を設けることで、夫々の期間について、相異なる形態の情報を容易かつ確実に取得することができる。
また、相異なる形態の情報に含まれる車の履歴その他の情報を組み合わせることにより、中古車市場の査定にも役立てることができる。
【００６１】
他のものと組み合わせて適用することができる。
例えば、本発明は、上述の実施形態だけでなく、上述の位置情報等蓄積部６６が蓄積する位置情報とともにＰＯＳ（Ｐｏｉｎｔ  Ｏｆ  Ｓａｌｅｓ）等のデータを蓄積することができる。情報取得部６７は、位置情報とＰＯＳ等のデータ組み合わせることもできる。
当該位置情報に、ＰＯＳデータから取得した給油地、給油量及び給油時刻を加えることにより、特定車Ｃに関する有用な情報を取得することができるし、燃費の計算に利用することもできる。特に、ガソリンスタンドにとって、当該情報は、他のガソリンスタンドの利用状況を把握するうえで有用な情報である。
なお、ＰＯＳデータは、ガソリンスタンドにおける決済の際に利用する給油カードのデータを取得することにより作成される。
また、ユーザが給油カードを保有していないためＰＯＳデータを利用できない場合には、ユーザ端末に、給油地、給油量及び給油時刻の記入画面を表示させ、ユーザが記入してもよいし、給油に関する領収書をユーザ端末に読み込んでもよい。
【００６２】
また、上述した位置情報等は、位置情報と位置情報以外の情報を含み、ユーザ端末２のセンサ検出器による検出情報も蓄積できる。
例えば、サーバ１が、振動センサの履歴を蓄積し、ブレーキをしたか否かを認識し、ユーザ端末２の結果に基づいて、ユーザ端末２の持主が運転手か運転手以外の者であるのか推測できる。
即ち、複数人乗車している場合に、運転手と同乗者と区別することにより、運転者毎の能力や傾向を把握するのに役立つ。
【００６３】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能がユーザ端末２に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
【００６４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６５】
このようなプログラムを含む記録媒体は、ユーザにプログラムを提供するために装置本体とは別に配布される図２のリムーバブルメディア３１及び図３のリムーバブルメディア５１により構成されるだけでなく、装置本体に予め組み込まれた状態でユーザに提供される記録媒体等で構成される。リムーバブルメディア３１及びリムーバブルメディア５１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）、等により構成される。また、装置本体に予め組み込まれた状態でユーザに提供される記録媒体は、例えば、プログラムが記録されている図２のＲＯＭ２２及び図３のＲＯＭ４２に含まれるハードディスク等で構成される。
【００６６】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【符号の説明】
【００６７】
１・・・サーバ、２・・・ユーザ端末、３・・・ビーコン、２１、４１・・・ＣＰＵ、２２、４２・・・ＲＯＭ、２３、４３・・・ＲＡＭ、２４、４４・・・バス、２５、４５・・・入出力インターフェース、２６、４６・・・入力部、２７・・・出力部、２８、４８・・・記憶部、２９、４９・・・通信部、３０、５０・・・ドライブ、３１、５１・・・リムーバブルメディア、４７・・・表示部、６１・・・受信制御部、６２・・・送信制御部、６３・・・位置情報取得部、６４・・・トリップ期間認識部、６５・・・おでかけ期間認識部、６６・・・位置情報等蓄積部、６７・・・情報取得部、７１・・・燃費詳細情報取得部、７２・・・くるま利用実態取得部、７３・・・診断情報取得部、Ｃ・・・特定車、Ｎ・・・ネットワーク、Ｕ・・・ユーザ
【図１】
2017162280.tif 000003
【図２】
2017162280.tif 000004
【図３】
2017162280.tif 000005
【図４】
2017162280.tif 000006
【図５】
2017162280.tif 000007
【図６】
2017162280.tif 000008
【図７】
2017162280.tif 000009